【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
入力画像データに所定の画像処理を施すことにより、第１画像データを生成する第１処理手段と、
所定の範囲外の画素値を有する第１画素の画素値を前記所定の範囲内の値に制限し、且つ、前記第１画素の画素値の制限に応じて前記第１画素の周囲の第２画素の画素値を調整する処理を、前記第１画像データに施すことにより、第２画像データを生成する第２処理手段と、
を備えることを特徴とする表示装置。
【請求項２】
前記第２処理手段により実行される前記処理では、前記第１画素の画素値が制限されたことによる前記第１画素の輝度の変化が抑制されるように、前記第２画素の画素値が調整される
ことを特徴とする請求項１に記載の表示装置。
【請求項３】
前記第２処理手段により実行される前記処理では、前記第１画素の制限前の画素値と前記第１画素の制限後の画素値との差に基づいて、前記第２画素の画素値が調整される
ことを特徴とする請求項１または請求項２に記載の表示装置。
【請求項４】
前記第２処理手段は、
前記第１画像データの前記第１画素の画素値を、前記所定の範囲内の値に制限することにより、制限画像データを生成する制限手段と、
前記制限画像データの前記第２画素の画素値を、前記制限手段による制限に応じて調整することにより、前記第２画像データを生成する調整手段と、
を備える
ことを特徴とする請求項１乃至請求項３のいずれか１項に記載の表示装置。
【請求項５】
前記制限手段は、前記制限画像データの前記第１画素によって表される色相が、前記第１画像データの前記第１画素によって表される色相に保たれるように、前記制限画像データを生成する
ことを特徴とする請求項４に記載の表示装置。
【請求項６】
前記第１画像データの各画素は、互いに異なる複数の色にそれぞれ対応する複数の副画素を有しており、
前記制限手段は、前記制限画像データの前記第１画素の各副画素の画素値の比率が、前記第１画像データの前記第１画素の各副画素の画素値の比率と略一致するように、前記制限画像データを生成する
ことを特徴とする請求項４または請求項５に記載の表示装置。
【請求項７】
前記調整手段が１つの第１画素に対して複数の第２画素それぞれの画素値を調整する場合に、前記調整手段は、前記複数の第２画素それぞれの画素値の調整量が、前記複数の第２画素間で互いに等しくなるように、前記複数の第２画素それぞれの画素値の調整量を決定し、決定した調整量に応じて前記複数の第２画素それぞれの画素値を調整する
ことを特徴とする請求項４乃至請求項６のいずれか１項に記載の表示装置。
【請求項８】
前記調整手段は、調整後の画素値が前記所定の範囲外の値となる画素を前記複数の第２画素が含む場合に、前記調整後の画素値が前記所定の範囲内の値となるように、前記複数の第２画素それぞれの画素値の調整量を制限する
ことを特徴とする請求項７に記載の表示装置。
【請求項９】
前記調整手段は、制限後の総調整量によって表される色相が、制限前の総調整量によって表される色相と一致するように、総調整量を制限する
ことを特徴とする請求項８に記載の表示装置。
【請求項１０】
前記調整手段は、前記調整量を制限した場合に、前記調整量が制限された第２画素の周囲の第３画素の画素値を調整する
ことを特徴とする請求項８または請求項９に記載の表示装置。
【請求項１１】
前記第１画素が局所的に存在するか否かを判定する判定手段をさらに備え、
前記第１画素が局所的に存在する場合に、前記第２処理手段は、前記第１画素の画素値を前記所定の範囲内の値に制限し、且つ、前記第１画素の画素値の制限に応じて前記第２画素の画素値を調整する前記処理を、前記第１画像データに施すことにより、前記第２画像データを生成する
ことを特徴とする請求項１乃至請求項１０のいずれか１項に記載の表示装置。
【請求項１２】
入力画像データに所定の画像処理を施すための第１補正値を生成する補正値生成手段と、
前記入力画像データと前記第１補正値に基づいて、前記入力画像データに前記所定の画像処理を施すことにより画素値が前記所定の範囲外の値となる第１画素を検出する検出手段と、
前記第１補正値、及び、前記検出手段の検出結果に基づいて、前記第１画素の画素値が前記所定の範囲内の値に制限され、且つ、前記第１補正値、前記検出手段の検出結果、及び、前記第１画素の画素値の制限に基づいて、前記第１画素の周囲の第２画素の画素値が補正された補正画像データを、前記入力画像データから生成する画像生成手段と、
を備えることを特徴とする表示装置。
【請求項１３】
前記画像生成手段は、
前記第１画素の前記所定の画像処理後の画素値が前記所定の範囲内の値に制限されるように、前記第１画素に対する前記第１補正値を調整し、前記第１画素に対する前記第１補正値の調整に応じて、前記第２画素に対する前記第１補正値を調整することにより、各画素に対する第２補正値を生成する調整手段と、
前記第２補正値を用いて前記入力画像データの各画素値を補正することにより、前記
補正画像データを生成する第１補正手段と、
を備える
ことを特徴とする請求項１２に記載の表示装置。
【請求項１４】
前記補正画像データにおいて、１つの第１画素に対する複数の第２画素それぞれの画素値は、前記所定の画像処理後の画素値から同じ調整量で調整されている
ことを特徴とする請求項１２または請求項１３に記載の表示装置。
【請求項１５】
前記補正画像データにおいて、１つの第１画素に対する複数の第２画素それぞれの画素値は互いに等しい
ことを特徴とする請求項１２または請求項１３に記載の表示装置。
【請求項１６】
前記第１画素の画素値を制限したことによる輝度の変化が前記第１画素の周囲の前記第２画素の画素値を調整することにより抑制しきれない場合に、抑制しきれない分の輝度の変化が抑制されるように、前記補正画像データの画素値のうち、前記第２画素の外側の第３画素の画素値を補正する第２補正手段をさらに備える
ことを特徴とする請求項１１乃至請求項１５のいずれか１項に記載の表示装置。
【請求項１７】
光を発する発光手段と、
入力画像データに応じた発光量で前記発光手段を発光させる制御手段と、
画像データに基づく透過率で前記発光手段からの光を透過することにより、画像を表示する表示手段と、
をさらに備え、
前記所定の画像処理は、前記発光手段の発光量に応じて前記入力画像データを補正する処理である
ことを特徴とする請求項１乃至請求項１６のいずれか１項に記載の表示装置。
【請求項１８】
前記発光手段は、前記表示手段の画面を構成する複数の領域に対応し、個別に発光を制御可能な複数の光源を有し、
前記制御手段は、前記複数の領域それぞれの前記入力画像データに応じて、前記複数の光源それぞれの発光量を制御し、
前記所定の画像処理は、前記複数の光源それぞれの発光量に応じて、前記複数の領域それぞれの前記入力画像データを補正する処理である
ことを特徴とする請求項１７に記載の表示装置。
【請求項１９】
前記所定の画像処理は、前記発光手段を所定の発光量で発光させた場合と、前記入力画像データに応じた発光量で前記発光手段を発光させた場合とで、前記表示装置の画面上に表示される画像の輝度が等しくなるように、前記入力画像データを補正する処理である
ことを特徴とする請求項１６または請求項１８に記載の表示装置。
【請求項２０】
入力画像データに所定の画像処理を施すことにより、第１画像データを生成する第１処理ステップと、
所定の範囲外の画素値を有する第１画素の画素値を前記所定の範囲内の値に制限し、且つ、前記第１画像の画素値の制限に応じて前記第１画素の周囲の第２画素の画素値を調整する処理を、前記第１画像データに施すことにより、第２画像データを生成する第２処理ステップと、
を有することを特徴とする表示装置の制御方法。
【請求項２１】
入力画像データに所定の画像処理を施すための第１補正値を生成する補正値生成ステップと、
前記入力画像データと前記第１補正値に基づいて、前記入力画像データに前記所定の画像処理を施すことにより画素値が前記所定の範囲外の値となる第１画素を検出する検出ステップと、
前記第１補正値、及び、前記検出ステップの検出結果に基づいて、前記第１画素の画素値が前記所定の範囲内の値に制限され、且つ、前記第１補正値、前記検出ステップの検出結果、及び、前記第１画素の画素値の制限に基づいて、前記第１画素の周囲の第２画素の画素値が補正された補正画像データを、前記入力画像データから生成する画像生成ステップと、
を有することを特徴とする表示装置の制御方法。
【手続補正２】
【補正対象書類名】明細書
【補正対象項目名】０００７
【補正方法】変更
【補正の内容】
【０００７】
本発明の第１の態様は、
入力画像データに所定の画像処理を施すことにより、第１画像データを生成する第１処理手段と、
所定の範囲外の画素値を有する第１画素の画素値を前記所定の範囲内の値に制限し、且つ、前記第１画素の画素値の制限に応じて前記第１画素の周囲の第２画素の画素値を調整する処理を、前記第１画像データに施すことにより、第２画像データを生成する第２処理手段と、
を備えることを特徴とする表示装置である。
本発明の第２の態様は、
入力画像データに所定の画像処理を施すための第１補正値を生成する補正値生成手段と、
前記入力画像データと前記第１補正値に基づいて、前記入力画像データに前記所定の画像処理を施すことにより画素値が前記所定の範囲外の値となる第１画素を検出する検出手段と、
前記第１補正値、及び、前記検出手段の検出結果に基づいて、前記第１画素の画素値が前記所定の範囲内の値に制限され、且つ、前記第１補正値、前記検出手段の検出結果、及び、前記第１画素の画素値の制限に基づいて、前記第１画素の周囲の第２画素の画素値が補正された補正画像データを、前記入力画像データから生成する画像生成手段と、
を備えることを特徴とする表示装置である。
【手続補正３】
【補正対象書類名】明細書
【補正対象項目名】０００８
【補正方法】変更
【補正の内容】
【０００８】
本発明の第３の態様は、
入力画像データに所定の画像処理を施すことにより、第１画像データを生成する第１処理ステップと、
所定の範囲外の画素値を有する第１画素の画素値を前記所定の範囲内の値に制限し、且つ、前記第１画像の画素値の制限に応じて前記第１画素の周囲の第２画素の画素値を調整する処理を、前記第１画像データに施すことにより、第２画像データを生成する第２処理ステップと、
を有することを特徴とする表示装置の制御方法である。
本発明の第４の態様は、
入力画像データに所定の画像処理を施すための第１補正値を生成する補正値生成ステッ
プと、
前記入力画像データと前記第１補正値に基づいて、前記入力画像データに前記所定の画像処理を施すことにより画素値が前記所定の範囲外の値となる第１画素を検出する検出ステップと、
前記第１補正値、及び、前記検出ステップの検出結果に基づいて、前記第１画素の画素値が前記所定の範囲内の値に制限され、且つ、前記第１補正値、前記検出ステップの検出結果、及び、前記第１画素の画素値の制限に基づいて、前記第１画素の周囲の第２画素の画素値が補正された補正画像データを、前記入力画像データから生成する画像生成ステップと、
を有することを特徴とする表示装置の制御方法である。